(57)【要約】【課題】情報の更新が容易であり、柔軟な料金計算を行うことにより容易に情報の売買を行うこと。【解決手段】情報蓄積部３０２は、経路情報を蓄積し、端末から経路情報を配信してほしい旨の要求信号を受け取った場合に、経路情報を提供情報生成部３０４へ出力する。割引料金計算部３０３は、端末から受信した経路情報の登録件数に応じて信頼度を設定し、設定した信頼度に応じた割引料金を設定する。提供情報生成部３０４は、経路情報の配信を要求する端末に対して、通信ネットワークを介して経路情報を配信する。提供料金計算部３０５は、端末に提供した経路情報の正規料金を設定する。請求料金計算部３０６は、経路情報を配信した端末について、正規料金から割引料金を減算して請求料金を設定する。【選択図】　　　図３
2004094582.tif 000002
【特許請求の範囲】
【請求項１】
端末が、通信ネットワークを介して提供情報をサーバへ送信する工程と、サーバが、前記提供情報を蓄積情報として記憶手段に記憶する工程と、サーバが、端末毎に前記提供情報に応じた割引料金を設定する工程と、サーバが、端末から前記蓄積情報の配信を要求する要求信号を受信した場合には前記蓄積情報を配信する際の正規料金を設定する工程と、サーバが、前記正規料金から前記要求信号を送信した前記端末の前記割引料金を減算した料金を請求料金として設定する工程と、サーバが、前記要求信号を送信した前記端末に通信ネットワークを介して前記蓄積情報を配信する工程と、を具備することを特徴とする情報提供方法。
【請求項２】
前記サーバは、前記蓄積情報の信頼度に応じて前記請求料金を変更することを特徴とする請求項１記載の情報提供方法。
【請求項３】
前記サーバは、前記提供情報の信頼度に応じて前記割引料金を変更することを特徴とする請求項１または請求項２記載の情報提供方法。
【請求項４】
前記提供情報及び前記蓄積情報は、現在地から目的地までの経路情報であることを特徴とする請求項１から請求項３のいずれかに記載の情報提供方法。
【請求項５】
ユーザからの提供情報を蓄積情報として記憶する記憶手段と、ユーザ毎に前記提供情報に応じた割引料金を設定する割引料金設定手段と、ユーザから前記蓄積情報の配信の要求があった場合に配信を要求した前記ユーザへ前記蓄積情報を配信する配信手段と、前記蓄積情報の配信の際に請求する料金を設定する正規料金設定手段と、前記正規料金設定手段にて設定した料金から配信を要求する前記ユーザの前記割引料金を減算して請求料金を設定する請求料金設定手段と、を具備することを特徴とする情報提供装置。
【請求項６】
前記請求料金設定手段は、前記蓄積情報の信頼度に応じて前記請求料金を設定することを特徴とする請求項５記載の情報提供装置。
【請求項７】
前記割引料金設定手段は、前記提供情報に応じた信頼度を設定するとともに前記信頼度に応じた前記割引料金を設定することを特徴とする請求項５記載の情報提供装置。
【請求項８】
前記提供情報及び前記蓄積情報は、現在地から目的地までの経路情報であることを特徴とする請求項５から請求項７のいずれかに記載の情報提供装置。
【請求項９】
前記配信手段は、前記蓄積情報を無線信号にして配信することを特徴とする請求項５から請求項８までのいずれかに記載の情報提供装置。
【請求項１０】
請求項５から請求項８のいずれかに記載の情報提供装置から通信ネットワークを介して前記通信ネットワークに接続されている端末へ前記配信手段により前記蓄積情報を配信することを特徴とする情報提供システム。
【発明の詳細な説明】
【０００１】
【発明の属する技術分野】
本発明は、情報提供方法及び情報提供装置に関し、例えば地図上の経路情報を提供する情報提供方法及び情報提供装置に適用し得る。
【０００２】
【従来の技術】
従来この種の情報提供装置として、例えばナビゲーションシステムがある。ナビゲーションシステムは、衛星が出力する電波を用いて自分が現在いる位置を地図上に表示するものである。地図情報は、ＣＤ−ＲＯＭ及びＤＶＤ等の記憶媒体にあらかじめ固定的に記憶されている。現在地から目的地までの経路は、ＣＤ−ＲＯＭ及びＤＶＤ等の記憶媒体にあらかじめ記憶されている経路情報に基づいて選択し、選択した経路に沿って移動するものである。
【０００３】
【発明が解決しようとする課題】
しかしながら、従来の情報提供方法においては、新たな情報を入手したい場合は、入手を希望する情報を記憶した記憶媒体を新たに購入しなければいけないため、情報の更新が手軽にできず、有用な情報を充分に活用することができないという問題がある。また、情報の提供に対して情報提供会社から提供者に支払われる情報提供料とその提供者が情報の使用に対して情報提供会社に支払う情報使用料との計算は、個別に行い、情報使用料の計算においては情報提供料を考慮しないため、柔軟な料金計算が行えず、情報の売買が困難であるという問題がある。
【０００４】
本発明はかかる点に鑑みてなされたものであり、情報の更新が容易であり、柔軟な料金計算を行うことにより容易に情報の売買を行うことができる情報提供方法及び情報提供装置を提供することを目的とする。
【０００５】
【課題を解決するための手段】
本発明の情報提供方法は、端末が、通信ネットワークを介して提供情報をサーバへ送信する工程と、サーバが、前記提供情報を蓄積情報として記憶手段に記憶する工程と、サーバが、端末毎に前記提供情報に応じた割引料金を設定する工程と、サーバが、端末から前記蓄積情報の配信を要求する要求信号を受信した場合には前記蓄積情報を配信する際の正規料金を設定する工程と、サーバが、前記正規料金から前記要求信号を送信した前記端末の前記割引料金を減算した料金を請求料金として設定する工程と、サーバが、前記要求信号を送信した前記端末に通信ネットワークを介して前記蓄積情報を配信する工程と、を具備することである。
【０００６】
この方法によれば、端末が情報の入手を希望する場合は、サーバが端末へ通信ネットワークを介して情報を配信するので、容易に情報の更新を行うことができる。また、端末が情報を配信してもらう場合は、配信を受ける際に必要な正規料金からその端末が提供した情報に応じた割引料金を減算した金額を相殺して請求料金として端末に対して請求するので、柔軟な料金計算を行うことができ、情報の売買を容易に行うことができる。
【０００７】
本発明の情報提供方法における前記サーバは、前記蓄積情報の信頼度に応じて前記請求料金を変更することである。
【０００８】
また、本発明の情報提供方法における前記サーバは、前記提供情報の信頼度に応じて前記割引料金を変更することである。
【０００９】
これらの方法によれば、端末が信頼度の高い情報を提供した場合は、サーバから情報の配信を受ける際に請求料金が安くなり、端末が信頼度の低い情報を提供した場合は、サーバから情報を受ける際に請求料金が高くなるので、信頼度の高い情報を容易に集めることができる。
【００１０】
本発明の情報提供方法における前記提供情報及び前記蓄積情報は、現在地から目的地までの経路情報であることである。
【００１１】
この方法によれば、現在地から目的地まで移動する際に、迅速かつ容易に経路情報の入手及び更新をすることができるとともに、経路情報の配信を受ける際に柔軟な料金計算を行うことができ、情報の売買を容易に行うことができる。
【００１２】
本発明の情報提供装置は、ユーザからの提供情報を蓄積情報として記憶する記憶手段と、ユーザ毎に前記提供情報に応じた割引料金を設定する割引料金設定手段と、ユーザから前記蓄積情報の配信の要求があった場合に配信を要求した前記ユーザへ前記蓄積情報を配信する配信手段と、前記蓄積情報の配信の際に請求する料金を設定する正規料金設定手段と、前記正規料金設定手段にて設定した料金から配信を要求する前記ユーザの前記割引料金を減算して請求料金を設定する請求料金設定手段と、を具備する構成を採る。
【００１３】
この構成によれば、ユーザが情報の入手を希望する場合は、サーバがユーザへ情報を配信するので、容易に情報の更新を行うことができる。また、ユーザが情報を配信してもらう場合は、配信を受ける際に必要な正規料金からそのユーザが提供した情報に応じた割引料金を減算した金額を相殺して請求料金としてユーザに対して請求するので、柔軟な料金計算を行うことができ、情報の売買を容易に行うことができる。
【００１４】
本発明の情報提供装置における前記請求料金設定手段は、前記蓄積情報の信頼度に応じて前記請求料金を設定する構成を採る。
【００１５】
また、本発明の情報提供装置における前記割引料金設定手段は、前記提供情報に応じた信頼度を設定するとともに前記信頼度に応じた前記割引料金を設定する構成を採る。
【００１６】
これらの構成によれば、ユーザが信頼度の高い情報を提供した場合は、サーバから情報の配信を受ける際に請求料金が安くなり、ユーザが信頼度の低い情報を提供した場合は、サーバから情報を受ける際に請求料金が高くなるので、信頼度の高い情報を容易に集めることができる。
【００１７】
本発明の情報提供装置における前記提供情報及び前記蓄積情報は、現在地から目的地までの経路情報である構成を採る。
【００１８】
この構成によれば、現在地から目的地まで移動する際に、迅速かつ容易に経路情報の入手及び更新をすることができるとともに、経路情報の配信を受ける際に柔軟な料金計算を行うことができ、情報の売買を容易に行うことができる。
【００１９】
本発明の情報提供装置における前記配信手段は、前記蓄積情報を無線信号にして配信する構成を採る。
【００２０】
この構成によれば、ユーザが移動中であっても、迅速かつ容易に経路情報の入手及び更新をすることができるとともに、経路情報の配信を受ける際に柔軟な料金計算を行うことができ、情報の売買を容易に行うことができる。また、移動中に知りたい情報が迅速に入手できるので、便利である。
【００２１】
本発明の情報提供システムは、上記に記載の情報提供装置から通信ネットワークを介して前記通信ネットワークに接続されている端末へ前記配信手段により前記蓄積情報を配信する構成を採る。
【００２２】
この構成によれば、通信ネットワークによって接続されたサーバと端末との間で情報の受け渡しを行うので、容易にかつ迅速に情報を入手することができる。
【００２３】
【発明の実施の形態】
本発明の骨子は、各ユーザの端末から経路情報を受け取ってそれを各端末に配信するサーバにおいて、提供するユーザ数が多い経路情報ほど信頼度が高い情報であるものとして経路情報に信頼度を設定し、ユーザが、経路情報を提供した際には、信頼度に応じた割引料金を設定し、そのユーザが、他のユーザが提供した経路情報の配信を要求した場合は、正規料金から上記割引料金を減算した金額を請求料金とすることである。
【００２４】
以下、本発明の実施の形態について、図面を参照して詳細に説明する。
【００２５】
（実施の形態１）
図１は、本実施の形態１に係る情報提供方法を実現するための情報提供システムの構成を示した図である。情報提供システムは、サーバ１０１、端末１０２−１〜１０２−８及び通信ネットワーク１０３とから主に構成される。なお、端末１０２−１〜１０２−８の数は、任意である。
【００２６】
サーバ１０１は、複数の端末１０２−１〜１０２−８から通信ネットワーク１０３を介して送信される抜け道等の経路情報を受信し、受信した経路情報を蓄積情報として記憶する。そして、送信された経路情報の件数が多いほど割引金額が大きくなるように、経路情報の件数に応じた割引金額を経路情報毎に設定する。また、サーバ１０１は、端末１０２−１〜１０２−８から経路情報の提供を要求する要求信号を受信した場合には、記憶している経路情報を要求信号を送信した端末１０２−１〜１０２−８へ配信するとともに、配信の際に正規料金から上記の割引金額を減算した料金を請求料金として設定する。なお、サーバ１０１の詳細及び料金計算方法については、後述する。
【００２７】
端末１０２−１〜１０２−８は、各ユーザが１台ずつ保有しており、提供情報である抜け道等の経路情報を通信ネットワーク１０３を介してサーバ１０１へ送信する。また、端末１０２−１〜１０２−８は、経路情報を入手したい場合はサーバ１０１へ要求信号を送信するとともに、サーバ１０１から配信された経路情報を受信する。なお、端末１０２−１〜１０２−８の詳細については、後述する。
【００２８】
通信ネットワーク１０３は、サーバ１０１から出力される経路情報を端末１０２−１〜１０２−８へ伝送するとともに、各端末１０２−１〜１０２−８から出力される要求信号及び経路情報をサーバ１０１へ伝送する。なお、通信ネットワーク１０３は、インターネット等の汎用性のあるもの及び専用線等の任意のものを用いることができる。
【００２９】
次に、端末１０２−１〜１０２−８の構成について、図２を用いて説明する。なお、端末１０２−１〜１０２−８は、全て同一構成であるため、端末１０２−１の構成について説明し、他の端末１０２−２〜１０２−８の説明は省略する。端末１０２−１は、情報提供部２０１、情報蓄積部２０２、情報取得部２０３、情報処理部２０４及び要求信号生成部２０５とから主に構成される。
【００３０】
情報提供部２０１は、外部から入力した経路情報を通信ネットワーク１０３を介してサーバ１０１の提供情報取得部３０１へ送信する。外部から入力した経路情報は、新しい道路情報、現在行われている道路工事の情報、道路工事による渋滞情報、新しくなった飲食店、販売店若しくはガソリンスタンドの情報、場所Ａから場所Ｂへ行くための道筋情報等である。
【００３１】
情報蓄積部２０２は、外部から入力した経路情報を蓄積するとともに、情報取得部２０３から新たな経路情報の入力があった場合は、蓄積した経路情報に新たな経路情報を加えて再構成し、再構成した経路情報を情報処理部２０４へ出力する。再構成した経路情報は、地図情報、抜け道情報、交通情報、飲食店情報及び店舗情報等である。
【００３２】
情報処理部２０４は、外部から入力した現在の自分が居る位置である位置情報と情報蓄積部２０２から入力した再構成した経路情報とを用いて誘導情報を生成し、生成した誘導情報を出力する。誘導情報は、地図上の現在自分が居る位置から目的地まで誘導する情報若しくは現在自分が居る位置の周辺情報等である。
【００３３】
要求信号生成部２０５は、経路情報をサーバ１０１から入手することを希望する場合にユーザの操作により要求信号が出力されるものであり、出力された要求信号は通信ネットワーク１０３を介してサーバ１０１の情報蓄積部３０２へ伝送される。
【００３４】
次に、情報提供装置の一例であるサーバ１０１の構成について、図３を用いて説明する。サーバ１０１は、提供情報取得部３０１、情報蓄積部３０２、割引料金計算部３０３、提供情報生成部３０４、提供料金計算部３０５及び請求料金計算部３０６とから主に構成される。
【００３５】
提供情報取得部３０１は、各端末１０２−１〜１０２−８の情報提供部２０１から送信された経路情報が入力し、入力した経路情報を情報蓄積部３０２及び割引料金計算部３０３へ出力する。
【００３６】
記憶手段である情報蓄積部３０２は、提供情報取得部３０１から入力した経路情報に端末１０２−１〜１０２−８以外から入手した経路情報を加えて再構成し、再構成した経路情報を蓄積する。そして、各端末１０２−１〜１０２−８から経路情報を配信してほしい旨の要求信号が入力した場合は、再構成した経路情報を提供情報生成部３０４へ出力する。また、情報蓄積部３０２は、経路情報を出力する際に、要求信号を送信した端末１０２−１〜１０２−８がいずれの端末であるかの端末情報も同時に提供情報生成部３０４へ出力する。
【００３７】
割引料金計算部３０３は、提供情報取得部３０１から入力した経路情報を各端末１０２−１〜１０２−８毎に集計し、入力件数の多い経路情報ほど信頼度が高いものとして割引料金を大きくして信頼度に応じた割引料金を設定し、設定した割引料金を請求料金計算部３０６へ出力する。また、割引料金計算部３０３は、受信した経路情報がいずれの端末１０２−１〜１０２−８から送信されたものであるかの情報を、請求料金計算部３０６へ出力する。なお、割引料金の計算方法は、後述する。
【００３８】
提供情報生成部３０４は、情報蓄積部３０２から入力した経路情報を通信ネットワーク１０３を介して各端末１０２−１〜１０２−８へ送信できるように、経路情報に対して符号化、変調及び多重等の処理を施し、情報蓄積部３０２から入力した端末情報に基づいて、要求信号を送信した端末１０２−１〜１０２−８の情報取得部２０３に向けて通信ネットワーク１０３へ経路情報を出力する。また、提供情報生成部３０４は、通信ネットワーク１０３へ出力した経路情報の種別を提供料金計算部３０５へ出力する。
【００３９】
提供料金計算部３０５は、提供情報生成部３０４から入力した経路情報の種別に応じてあらかじめ設定されている正規料金を計算し、計算した正規料金を請求料金計算部３０６へ出力する。
【００４０】
請求料金計算部３０６は、提供料金計算部３０５から入力した正規料金から割引料金計算部３０３から入力した割引料金を減算して請求料金を求め、求めた請求料金を請求料金情報として出力する。請求料金計算部３０６は、割引料金計算部３０３から入力した経路情報と割引金額との関係を参照テーブルに記憶するとともに、経路情報とその経路情報を提供した端末との関係も参照テーブルに記憶する。これにより、要求信号を送信した端末１０２−１〜１０２−８に対して、過去に提供している経路情報を考慮した請求金額を設定することができる。
【００４１】
次に、サーバ１０１及び端末１０２−１〜１０２−８の動作について説明する。最初に、端末１０２−１〜１０２−８から経路情報をサーバ１０１へ提供する際の動作について説明する。
【００４２】
外部から端末１０２−１〜１０２−８の情報提供部２０１に入力した経路情報は、通信ネットワーク１０３を介してサーバ１０１の提供情報取得部３０１へ出力されるとともに、端末１０２−１〜１０２−８の情報蓄積部２０２へ出力されて蓄積される。提供情報取得部３０１に入力した経路情報は、情報蓄積部３０２及び割引料金計算部３０３へ出力される。情報蓄積部３０２に入力した経路情報は、外部から情報蓄積部３０２に入力した経路情報を加えて再構成された状態で情報蓄積部３０２に蓄積される。また、割引料金計算部３０３に入力した経路情報は、経路情報毎の件数に応じて信頼度が設定され、割引料金計算部３０３において設定された信頼度に応じた割引料金を端末毎に設定し、設定した端末毎の割引料金を請求料金計算部３０６へ出力する。
【００４３】
次に、端末１０２−１〜１０２−８からサーバ１０１へ経路情報を配信してもらうために要求信号を送信した場合の動作について説明する。経路情報の入手を要望するユーザが、端末１０２−１〜１０２−８を操作することにより、要求信号生成部２０５から要求信号が出力され、出力された要求信号は通信ネットワーク１０３を介して情報蓄積部３０２に入力する。要求信号が情報蓄積部３０２に入力すると、情報蓄積部３０２に蓄積されていた経路情報は、要求信号を送信した端末１０２−１〜１０２−８がいずれの端末１０２−１〜１０２−８であるかの端末情報とともに提供情報生成部３０４へ出力される。提供情報生成部３０４に出力された経路情報及び端末情報は、提供情報生成部３０４から通信ネットワーク１０３を介して要求信号を送信した端末１０２−１〜１０２−８の情報取得部２０３へ出力されるとともに、出力された経路情報の種別を提供情報生成部３０４から提供料金計算部３０５へ出力される。提供料金計算部３０５において、入力した経路情報の種別に基づいて経路情報配信の際に必要な正規料金を計算し、計算した正規料金を請求料金計算部３０６へ出力する。請求料金計算部３０６は、請求料金計算部３０６に入力した正規料金からあらかじめ入力されていた割引料金を減算して請求料金を設定し、設定した請求料金を請求料金情報として出力する。
【００４４】
一方、端末１０２−１〜１０２−８の情報取得部２０３に入力した経路情報は、情報蓄積部２０２へ出力され、あらかじめ蓄積されていた経路情報に加えられて再構成されて情報処理部２０４へ出力される。情報処理部２０４に出力された経路情報は、外部から入力された位置情報を加えられて誘導情報として出力される。
【００４５】
次に、割引料金計算部３０３及び請求料金計算部３０６における各料金の設定方法について、図１、図４及び図５を用いて説明する。図４は、現在地Ｐ０から目的地Ｐ１までの経路を示した図であり、図５は、各ルートの登録件数、信頼度、割引料金及び請求料金を示した図である。
【００４６】
図４より、現在地Ｐ０から目的地Ｐ１までの経路は、ルート１からルート３の３種類あり、混雑度若しくは距離等に応じて各端末１０２−１〜１０２−８のユーザが選択できるものである。ルート１からルート３までの３種類の経路が、経路情報として売買される。
【００４７】
図５に示すように、端末１０２−５、１０２−６のユーザＥ、Ｆが、ルート１の情報を登録するため、ルート１の登録件数は２件である。また、端末１０２−１、１０２−２、１０２−３、１０２−４、１０２−７のユーザＡ、Ｂ、Ｃ、Ｄ、Ｇが、ルート２の情報を登録するため、ルート２の登録件数は５件である。また、端末１０２−８のユーザＨが、ルート３の情報を登録するため、ルート３の登録件数は１件である。ここで、登録件数とは、各端末１０２−１〜１０２−８から送信されてサーバ１０１が受信した経路情報の件数である。なお、登録件数は、経路情報を送信したか否かに関わらず、各端末１０１−１〜１０１−８のユーザが登録料金を支払って登録を受けた件数及び無料で登録を申し込んで登録を受けた件数等でも良い。
【００４８】
また、割引料金計算部３０３にて設定される信頼度は、１から１０までの１０段階で設定されており、登録件数が増える毎に信頼度は高くなるものであり、登録件数が最も多いルートを信頼度１０とする。したがって、ルート１の信頼度は４、ルート２の信頼度は１０及びルート３の信頼度は２であり、登録件数が１件増える毎に信頼度は２ずつ大きくなる。なお、登録件数が最も多いルートの信頼度は１０以外でも良く、登録件数が少なくなる毎に信頼度が高くなるようにしても良く、信頼度と登録件数とは比例関係になくても良い。
【００４９】
割引料金計算部３０３にて設定される割引料金は、信頼度が大きくなるほど高くなるものであり、信頼度が１つ上がる毎に５円ずつ高くなる。したがって、割引料金は、ルート１は２０円、ルート２は５０円及びルート３は１０円である。これより、端末１０２−５、１０２−６のユーザＥ、Ｆは、割引料金２０円が設定され、端末１０２−１、１０２−２、１０２−３、１０２−４、１０２−７のユーザＡ、Ｂ、Ｃ、Ｄ、Ｇは、割引料金５０円が設定され、端末１０２−８のユーザＨは、割引料金１０円が設定される。ユーザは、割引料金より経路情報の信頼度を知ることができる。
【００５０】
請求料金計算部３０６にて設定される請求料金は、正規料金から割引料金を減算したものであり、ルート１は１００円、ルート２は２５０円及びルート３は５０円である。なお、上記の通り経路情報をサーバ１０１へ登録したユーザは、経路情報の配信の際に割引料金の適用を受けることができるが、経路情報を全くサーバ１０１へ登録していないユーザは、経路情報の配信を受ける際に割引料金の適用を受けることはできない。ただし、経路情報をサーバ１０１に登録していないユーザが割引料金の適用を受けることができるようにしても良い。
【００５１】
次に、割引料金計算部３０３における割引料金の上記とは異なる設定方法について、図６を用いて説明する。図６より、ユーザＡは、信頼度１０の情報を２０件及び信頼度５の情報を１０件登録している。また、ユーザＢは、信頼度１０の情報を１０件、信頼度５の情報を１０件及び信頼度１の情報を１０件登録している。また、ユーザＣは、信頼度５の情報を１０件及び信頼度１の情報を１５件登録している。このような場合において、信頼度１０の情報を全く登録していないユーザについては、通常の割引料金を適用することとし、信頼度１０の情報が１０件増える毎に割引料金を２倍ずつ増やすこととする。したがって、ユーザＡは通常の割引料金の４倍の割引料金であり、ユーザＢは通常の割引料金の２倍の割引料金であり及びユーザＣは通常の割引料金となる。
【００５２】
次に、経路情報以外の情報を本実施の形態に適用する場合について、図７を用いて説明する。図７より、ユーザＡは、札幌市に関する情報について、信頼度１０の情報を２０件及び信頼度５の情報を１０件登録している。また、ユーザＢは、札幌市に関する情報について、信頼度５の情報を１０件及び信頼度１の情報を１５件登録している。そして、札幌市に関する情報において信頼度１０の情報を１０件及び信頼度５の情報を１０件登録した場合を基準値として設定する。この基準値を満たしたユーザは、札幌市に関する情報に相当する情報として仙台市の情報を無料で取得することができることとする。これより、ユーザＡは、仙台市に関する情報を無料で取得することができ、ユーザＢは、仙台市に関する情報を無料で取得することができない。なお、端末とサーバの構成及び動作は、経路情報の場合と同一であるのでその説明は省略する。
【００５３】
このように、本実施の形態の情報提供方法及び情報提供装置によれば、各端末１０２−１〜１０２−８が、サーバ１０１より通信ネットワーク１０３を介して経路情報を取得することができるので、情報の更新が容易である。また、各端末１０２−１〜１０２−８が、サーバ１０１より経路情報の配信を受ける際に、正規料金からサーバ１０２−１〜１０２−８が提供した経路情報に応じた割引料金を減算した料金を、経路情報の配信料である請求料金とするので、柔軟な料金計算を行うことにより容易に情報の売買を行うことができる。また、経路情報の登録件数に応じて信頼度を設定し、信頼度に応じた割引金額を設定するので、信頼度の高い情報を多数集めることができる。また、各ユーザ１０２−１〜１０２−８は、請求料金より配信される経路情報の信頼度が判るので、信頼度に基づいて経路情報を選択することができ、意図しない信頼度の低い経路情報を取得してしまうことを防止することができる。
【００５４】
なお、本実施の形態において、割引料金計算部３０３において設定した信頼度を各端末１０２−１〜１０２−８に通知して、ユーザが入手を希望している経路情報の信頼度を確認することができるようにしても良い。
【００５５】
（実施の形態２）
図８は、本実施の形態２に係る情報提供方法にて用いる端末８０１及び搭載器８０２の構成を示した図である。本実施の形態においては、情報処理部８０４が、端末８０１とは別個の搭載器８０２に設けられる構成を特徴とするものである。なお、上記実施の形態１と同一構成の部分については、その説明を省略する。
【００５６】
端末８０１は、情報提供部２０１、情報蓄積部２０２、情報取得部２０３及び要求信号生成部２０５とから主に構成される。なお、端末８０１は、通信ネットワーク１０３に接続されてサーバ１０１と経路情報の送受信を行うものであり、数は複数若しくは単数等任意である。
【００５７】
情報蓄積部２０２は、再構成した経路情報を搭載器８０２の情報取得部８０３へ出力する。
【００５８】
搭載器８０２は、情報取得部８０３及び情報処理部８０４とから主に構成される。搭載器８０２は、端末８０１とは伝送路８０５によって接続されている。また、搭載器８０２は、端末８０１と切り離し自在に伝送路８０５によって接続されている。なお、搭載器８０２は、端末８０１から無線にて経路情報を受け取るものであっても良く、また、必ずしも端末８０１と同数でなくても良い。
【００５９】
情報取得部８０３は、端末８０１の情報蓄積部２０２から入力した経路情報を情報処理部８０４へ出力する。
【００６０】
情報処理部８０４は、情報取得部８０３から入力した経路情報と外部から入力した自分が現在居る位置を示す位置情報とを用いて、誘導情報を出力する。ここで、情報取得部８０３から入力した経路情報は、地図情報、抜け道情報、交通情報、飲食店情報及び店舗情報等である。また、誘導情報は、地図上の現在自分が居る位置から目的地まで誘導する情報若しくは現在自分が居る位置の周辺情報等である。
【００６１】
このように、本実施の形態における情報提供方法及び情報提供装置は、上記実施の形態１の効果に加えて、情報処理部８０４を端末８０１とは別の搭載器８０２に設けたので、端末８０１と搭載器８０２とを切り離して搭載器８０２のみを車等に搭載することができるので、経路情報の配信を受けるための機器の搭載スペースを小さくすることができる。また、経路情報を更新する時には、搭載器８０２と端末８０１とを接続して経路情報の更新を行うことができるため、経路情報を容易に更新することができる。
【００６２】
（実施の形態３）
図９及び図１０は、本実施の形態３における情報提供方法に用いられる端末９０１及び情報提供装置の一例であるサーバ１００１の構成を示した図である。なお、上記実施の形態１と同一構成の部分については、同一の符号を付してその説明を省略する。
【００６３】
端末９０１は、情報提供部２０１、情報蓄積部２０２、情報取得部２０３、情報要求部９０２、情報処理部２０４、料金表示部９０３及び要求信号生成部２０５とから主に構成される。
【００６４】
情報要求部９０２は、ユーザが取得を希望する情報を要求するための信号を生成し、生成した信号をサーバ１００１の提供情報生成部３０４へ向けて、通信ネットワーク１０３へ出力する。なお、ユーザが取得を希望する情報は、経路情報に限らず、サーバ１０１が有する全ての情報を対象とする。
【００６５】
料金表示部９０３は、サーバ１０１の請求料金計算部３０６から入力した請求料金情報に基づいて、請求料金を表示する。
【００６６】
提供情報生成部３０４は、情報要求部９０２から信号が入力した場合は、ユーザが取得を希望する情報を情報取得部２０３へ向けて通信ネットワーク１０３へ出力する。
【００６７】
請求料金計算部３０６は、計算した請求料金を請求料金情報として料金表示部９０３へ向けて通信ネットワーク１０３へ出力する。
【００６８】
このように、本実施の形態における情報提供方法及び情報提供装置は、上記実施の形態１の効果に加えて、ユーザが取得を希望する情報を配信してもらえるように情報要求部９０２から要求するので、必要な情報を必要な時に取得することができる。また、料金表示部９０３に請求料金を表示することができるので、各ユーザは、情報の配信に掛かった費用を迅速に、かつ明瞭に知ることができる。
【００６９】
（実施の形態４）
図１１は、本実施の形態４に係る情報提供方法に用いられる端末１１０１及び搭載器１１０２の構成を示した図である。本実施の形態においては、情報処理部１１０４を搭載器１１０２に設けた構成が特徴である。なお、上記実施の形態１及び実施の形態３と同一構成の部分については、同一符号を付してその説明は省略する。
【００７０】
端末１１０１は、情報提供部２０１、情報蓄積部２０２、情報取得部２０３、情報要求部９０２、料金表示部９０３及び要求信号生成部２０５とから主に構成される。なお、端末１１０１は、通信ネットワーク１０３に接続されてサーバ１０１と経路情報の送受信を行うものであり、数は複数若しくは単数等任意である。
【００７１】
搭載器１１０２は、情報取得部１１０３及び情報処理部１１０４とから主に構成される。
【００７２】
情報取得部１１０３は、端末１１０１の情報蓄積部２０２から入力した経路情報を情報処理部１１０４へ出力する。
【００７３】
情報処理部１１０４は、情報取得部１１０３から入力した経路情報と外部から入力した自分が現在居る位置を示す位置情報とを用いて、誘導情報を出力する。ここで、情報取得部１１０３から入力した経路情報は、地図情報、抜け道情報、交通情報、飲食店情報及び店舗情報等である。また、誘導情報は、地図上の現在自分が居る位置から目的地まで誘導する情報若しくは現在自分が居る位置の周辺情報等である。
【００７４】
このように、本実施の形態における情報提供方法及び情報提供装置は、上記実施の形態１及び実施の形態３の効果に加えて、情報処理部１１０４を端末１１０１とは別の搭載器１１０２に設けたので、端末１１０１と搭載器１１０２とを切り離して搭載器１１０２のみを車等に搭載することができるので、経路情報の配信を受けるための機器の搭載スペースを小さくすることができる。また、経路情報を更新する時には、搭載器１１０２と端末１１０１とを接続して経路情報の更新を行うことができるため、経路情報を容易に更新することができる。
【００７５】
（実施の形態５）
図１２は、本実施の形態５係る情報提供方法にて用いられる情報提供システムを示した図であり、図１３は、移動体１２０２に搭載される端末１３０１の構成を示した図であり、図１４は、情報提供装置の一例であるサーバ１２０１の構成を示した図である。本実施の形態においては、サーバ１２０１に経路情報等を無線信号により送受信する部分を設け、サーバ１２０１から無線により配信される経路情報を、車等の移動体１２０２においても受信できるようにする点が特徴である。なお、上記実施の形態１と同一構成である部分は、同一の符号を付してその説明は省略する。
【００７６】
サーバ１２０１から配信される経路情報は、移動体１２０２に搭載した端末１３０１及び通信ネットワーク１０３に接続されている端末１０２−１〜１０２−８の両方に配信することができる。なお、通信ネットワーク１０３に経路情報を配信するための構成及び動作は、上記実施の形態１と同一であるため、その説明は省略する。
【００７７】
無線送信データ生成部１３０２は、情報提供部２０１から入力した経路情報を符号化して無線周波数にアップコンバートし、アンテナ１３０４よりサーバ１２０１へ送信する。
【００７８】
無線受信データ生成部１３０３は、アンテナ１３０５にて受信したサーバ１２０１から送信された経路情報を、無線周波数から中間周波数にダウンコンバートして、復号化して経路情報を取り出し、取り出した経路情報を情報取得部２０３へ出力する。
【００７９】
無線送信データ生成部１４０２は、提供情報生成部３０４から入力した経路情報を符号化して無線周波数にアップコンバートし、アンテナ１４０４より端末１３０１へ送信する。
【００８０】
無線受信データ生成部１４０１は、アンテナ１４０３にて受信した端末１３０１から送信された経路情報を、無線周波数から中間周波数にダウンコンバートして、復号化して経路情報を取り出し、取り出した経路情報を提供情報取得部３０１へ出力する。
【００８１】
このように、本実施の形態における情報提供方法及び情報提供装置は、上記実施の形態１に加えて、移動体１２０２において移動しながら経路情報を取得して更新するので、必要に迫られた時に経路情報を迅速に取得することができる。
【００８２】
なお、本実施の形態においては、移動体１２０１に搭載する端末は、上記実施の形態２から実施の形態４の端末に、無線送信データ生成部、無線受信データ生成部及びアンテナを設ければ、いずれの端末であっても任意に適用することが可能である。また、サーバが各ユーザへ配信する情報及び各ユーザがサーバへ送信する情報は、経路情報に限らず地区情報、ショッピング情報等の何の情報であっても良い。
【００８３】
【発明の効果】
以上説明したように、本発明によれば、情報の更新が容易であり、柔軟な料金計算を行うことにより容易に情報の売買を行うことができる。
【図面の簡単な説明】
【図１】本発明の実施の形態１に係る情報提供システムの構成を示すブロック図
【図２】本発明の実施の形態１に係る端末の構成を示すブロック図
【図３】本発明の実施の形態１に係る情報提供装置の構成を示すブロック図
【図４】現在地から目的地までの経路を示す図
【図５】各ルートにおける登録件数、信頼度、割引料金及び請求料金の関係を示した図
【図６】本発明の実施の形態１に係る他の割引料金設定の方法を示した図
【図７】本発明の実施の形態１に係る他の情報の情報提供方法を示した図
【図８】本発明の実施の形態２に係る端末及び搭載器の構成を示すブロック図
【図９】本発明の実施の形態３に係る端末の構成を示すブロック図
【図１０】本発明の実施の形態３に係る情報提供装置の構成を示すブロック図
【図１１】本発明の実施の形態４に係る端末及び搭載器の構成を示すブロック図
【図１２】本発明の実施の形態５に係る情報提供システムの構成を示すブロック図
【図１３】本発明の実施の形態５に係る端末の構成を示すブロック図
【図１４】本発明の実施の形態５に係る情報提供装置の構成を示すブロック図
【符号の説明】
１０１　サーバ
１０２−１〜１０２−８　端末
１０３　通信ネットワーク
３０３　割引料金計算部
３０５　提供料金計算部
３０６　請求料金計算部
【図１】
2004094582.tif 000003
【図２】
2004094582.tif 000004
【図３】
2004094582.tif 000005
【図４】
2004094582.tif 000006
【図５】
2004094582.tif 000007
【図６】
2004094582.tif 000008
【図７】
2004094582.tif 000009
【図８】
2004094582.tif 000010
【図９】
2004094582.tif 000011
【図１０】
2004094582.tif 000012
【図１１】
2004094582.tif 000013
【図１２】
2004094582.tif 000014
【図１３】
2004094582.tif 000015
【図１４】
2004094582.tif 000016